(57)【特許請求の範囲】
【請求項１】
表面層と、裏面層と、前記表面層と前記裏面層との間に位置する吸収層とを有する吸収性物品において、
前記表面層は、受液側の表面に位置する多数の開孔を有する樹脂層と、前記樹脂層の裏面側に重ねられている繊維層とを有し、
前記繊維層は、疎水性繊維が互いに融着されたシートと、前記疎水性繊維よりも繊維長が短い親水性繊維とを含み、前記親水性繊維の少なくとも一部が集合体となって、前記シート内で分散されて前記疎水性繊維の間に入っており、前記集合体を構成する親水性繊維が、前記疎水性繊維に融着されていることを特徴とする吸収性物品。
【請求項２】
前記繊維層にも、多数の開孔が形成されている請求項１記載の吸収性物品。
【請求項３】
表面層と、裏面層と、前記表面層と前記裏面層との間に位置する吸収層とを有し、受液側の両側部に、縦方向に延びる防漏側壁が設けられている吸収性物品において、
前記防漏側壁は、受液側の表面に位置する多数の開孔を有する樹脂層と、前記樹脂層の裏面側に重ねられている繊維層とを有し、
前記繊維層は、疎水性繊維が互いに融着されたシートと、前記疎水性繊維よりも繊維長が短い親水性繊維とを含み、前記親水性繊維の少なくとも一部が集合体となって、前記シート内で分散されて前記疎水性繊維の間に入っており、前記集合体を構成する親水性繊維が、前記疎水性繊維に融着されていることを特徴とする吸収性物品。
【請求項４】
前記繊維層では、集合体となった親水性繊維の繊維密度が、前記集合体が存在しない領域での繊維層の繊維密度よりも高い請求項１ないし３のいずれかに記載の吸収性物品。
【請求項５】
前記繊維層は、前記疎水性繊維を７０〜９８質量％、前記親水性繊維を２〜３０質量％含む請求項１ないし４のいずれかに記載の吸収性物品。
【請求項６】
前記疎水性繊維は、繊維長が３８〜６４ｍｍ、前記親水性繊維は繊維長が５〜２５ｍｍである請求項１ないし５のいずれかに記載の吸収性物品。
【発明の詳細な説明】
【０００１】
【発明の属する技術分野】
本発明は、主に経血、尿などの排泄液を吸収保持する吸収性物品に係り、特に受液側表面に少量の液や汗が付着したときに湿潤感を生じにくくした吸収性物品に関する。
【０００２】
【従来の技術】
従来、生理用ナプキン、尿取りパッド、使い捨ておむつなどの吸収性物品が種々開発されている。これらの吸収性物品は、液不透過性の裏面層と、液透過性の表面層との間に吸収層を備えたものである。
【０００３】
この種の吸収性物品の表面層の構造として、例えば特表平７−５００７５９号公報には、孔を有するプラスティックフィルムで表面層が形成されたものが開示されている。この開孔プラスティックフィルムの表面層を使用した吸収性物品では、前記フィルムの表面に与えられた液が孔を透過してその下の吸収層に吸収される。フィルムそのものは非吸収性であるため、吸収層に吸収された液体がフィルム表面に逆戻りするのを防止する効果を発揮できるようになっている。
【０００４】
【発明が解決しようとする課題】
前記の吸収性物品では、大量の液体が与えられたときに、フィルムの表面層に与えられた液体が開孔を通じてその下に位置する吸収層に直ちに接触し、吸収層の親水性毛細管作用により表面層表面の液体が吸収層に引込まれる。すなわち、フィルム性の表面層は液体に対する濡れ性に乏しいために、大量の液体と接触したときには開孔から速やかに液体を通過させ、ほとんどの液体が吸収層内に速やかに引込まれる。
【０００５】
しかし、前記表面層の表面に少量の液体が残ったとき、または着用者の汗が前記表面に付着したときには、これら少量の液体には吸収層による引き込み力が作用せずに、フィルム表面にそのまま残りやすい。これら少量の液体はそのまま装着者の肌に触れたり、または蒸発し蒸気となって留まることになり、着用者に湿潤感や蒸れ感を与え肌荒れなどの原因になりやすい。また前記フィルム性の表面層は、肌への密着感を生じ、前記湿潤感を増長しやすい。
【０００６】
また、従来の吸収性物品として、受液側の幅方向の両側部に縦方向に延びる防漏側壁が形成されているものがある。この防漏側壁は疎水性合成繊維で形成された不織布などで形成される。前記疎水性合成繊維で形成された不織布は液体の透過抵抗力が強く、多量の液体を表面層側へ戻し、液体の横漏れを防止する機能を発揮できる。しかし、少量の液や汗が付着したときには、これらを表面層に導くことができず、防漏側壁と肌との間に前記液または液が蒸発した蒸気が残り、装着者に湿潤感を与えやすくなる。
【０００７】
本発明は上記従来の課題を解決するものであり、受液側表面での少量の液残りや蒸気の残りを少なくして、装着者の肌に湿潤感を与えにくくした吸収性物品を提供することを目的としている。
【０００８】
【課題を解決するための手段】
本発明は、表面層と、裏面層と、前記表面層と前記裏面層との間に位置する吸収層とを有する吸収性物品において、
前記表面層は、受液側の表面に位置する多数の開孔を有する樹脂層と、前記樹脂層の裏面側に重ねられている繊維層とを有し、
前記繊維層は、疎水性繊維が互いに融着されたシートと、前記疎水性繊維よりも繊維長が短い親水性繊維とを含み、前記親水性繊維の少なくとも一部が集合体となって、前記シート内で分散されて前記疎水性繊維の間に入っており、前記集合体を構成する親水性繊維が、前記疎水性繊維に融着されていることを特徴とするものである。
【０００９】
前記表面層では、前記繊維層にも、多数の開孔が形成されていることが好ましい。
【００１０】
また本発明は、表面層と、裏面層と、前記表面層と前記裏面層との間に位置する吸収層とを有し、受液側の両側部に、縦方向に延びる防漏側壁が設けられている吸収性物品において、
前記防漏側壁は、受液側の表面に位置する多数の開孔を有する樹脂層と、前記樹脂層の裏面側に重ねられている繊維層とを有し、
前記繊維層は、疎水性繊維が互いに融着されたシートと、前記疎水性繊維よりも繊維長が短い親水性繊維とを含み、前記親水性繊維の少なくとも一部が集合体となって、前記シート内で分散されて前記疎水性繊維の間に入っており、前記集合体を構成する親水性繊維が、前記疎水性繊維に融着されていることを特徴とするものである。
【００１１】
前記において、前記繊維層では、集合体となった親水性繊維の繊維密度が、前記集合体が存在しない領域での繊維層の繊維密度よりも高いことが好ましい。
【００１２】
ここで、親水性繊維の集合体とは、親水性繊維が塊状または捲縮状態となって、繊維層内での疎水性繊維または集合体とならなかった親水性繊維が分散している箇所での繊維層の密度よりも、親水性繊維の密度が高くなる状態を意味する。
【００１３】
また、前記繊維層は、前記疎水性繊維を７０〜９８質量％、前記親水性繊維を２〜３０質量％含むものである。
【００１４】
さらに、前記疎水性繊維は、繊維長が３８〜６４ｍｍ、前記親水性繊維は繊維長が５〜２５ｍｍである。また、好ましくは、親水性繊維の繊維長が疎水性繊維の繊維長の１／２以下である。
【００１５】
親水性繊維の繊維長が、疎水性繊維の繊維長よりも短いと、疎水性繊維どうしが結合した不織布内において、親水性繊維が塊状または捲縮状態などの集合体となって、疎水性繊維間に介在しやすくなる。
【００１６】
本発明の吸収性物品の表面層は、受液側に液体に対する濡れ性を有しない樹脂層が設けられているため、大量の液体と接触したときには開孔から速やかに液体を通過させることができ、表面に液体が滞留することがない。しかも吸収層側に位置する繊維層に親水性繊維の集合体が分散しているために、着用者の汗などの少量の液体が表面層に接触し、またはその蒸気が留まったときに、前記液体や蒸気が前記親水性繊維の集合体に吸収され、表面層の表面の乾燥状態を維持しやすい。
【００１７】
【発明の実施の形態】
以下、本発明について図面を参照して説明する。図１は、本発明の吸収性物品の第１の実施の形態として生理用ナプキン１を受液側から示す斜視図、図２は図１のＩＩ−ＩＩ線の断面図、図３は他の実施の形態の生理用ナプキンの断面図、図４は生理用ナプキンの表面層を部分的に拡大して示す断面模式図、図５は生理用ナプキンの表面層の他の実施の形態を部分的に拡大して示す断面模式図、図６は表面層と同じ複合シートで防漏側壁を形成した例を示す断面図、図７は繊維層の製造方法の一例を示す説明図である。
【００１８】
図１と図２に示す生理用ナプキン１は、主として下着などの外部装着体へ対面する裏面層２と、幅方向（Ｘ方向）のほぼ中央部分に位置して排泄液を吸収する吸収層３と、吸収層３の受液側表面を覆う表面層４を有している。前記表面層４の幅方向（Ｘ方向）に向く側端部４ｃは、吸収層３の側方において前記裏面層２の表面に接合されている。
【００１９】
前記生理用ナプキン１の幅方向（Ｘ方向）に向く両側部では、縦方向（Ｙ方向）に延びる対を成す防漏側壁５，５が設けられている。この実施の形態では、それぞれの防漏側壁５が１枚の疎水性シート６により形成されている。
【００２０】
前記疎水性シート６は、幅方向に向く両側部において裏面層２の上に接合され、前記防漏側壁５を形成して、さらに吸収層３の両側において、表面層４の側端部４ｃの上に接合されている。
【００２１】
前記防漏側壁５では、前記疎水性シート６が上端で折り曲げられ、この折曲部分に２つの弾性部材７，８が設けられている。この弾性部材７，８は縦方向（Ｙ方向）へ伸ばした状態で前記疎水性シート６に接合されている。よって、自由状態の生理用ナプキン１では、前記防漏側壁５の上端において疎水性シート６に縦方向への弾性収縮力が作用している。
【００２２】
生理用ナプキン１の縦方向（Ｙ方向）の前後端部において、前記防漏側壁５を形成する疎水性シート６が外側へ折り畳まれて固定されている。前記弾性部材７，８の弾性収縮力が防漏側壁５の上端に作用することで、自由状態の生理用ナプキン１は、縦方向へ凹状に湾曲し、前記防漏側壁５，５が吸収層３の両側において着用者側に立ち上がった状態になる。
【００２３】
図４に示すように、前記表面層４は、樹脂層４ａと繊維層４ｂとを有し、前記樹脂層４ａが受液側に設けられている。樹脂層４ａは、合成樹脂製のフィルム状のシートであり、疎水性または撥水性を有し、あるいは表面に疎水処理または撥水処理が施されており、液体不透過性であり且つ濡れ性のほとんどないものである。例えば、ポリエチレン、ポリプロピレンまたはポリエステルなどが挙げられる。
【００２４】
図４に示すように、前記樹脂層４ａには一面側（上面）から他面側（下面）へと貫通する複数の開孔１５が形成されている。前記開孔１５は、図１に示す実施の形態では格子状に配列されているが、例えば千鳥状などその他の配列により形成されたものであってもよい。前記開孔１５の面積は０．２〜１．１３ｍｍ2であることが好ましく、さらに前記開孔１５の面積占有率は４０〜７０％であることが好ましい。前記開孔１５はニードリング処理などによりその開口端１５ａが繊維層４ｂ側へ突出するように形成されており、前記樹脂層４ａの厚み（嵩）Ｈ１すなわち樹脂層４ａの表面から前記開口端１５ａまでの厚みは、０．２〜０．７ｍｍであることが好ましい。
【００２５】
また樹脂層４ａは、酸化チタンを含んだ白濁状であることが好ましい。酸化チタンを樹脂層４ａに０．５〜１０質量％含ませることにより、表面層４を白色に形成でき、吸収層３に吸収された血液を隠蔽できる。
【００２６】
一方、前記繊維層４ｂは、図４に示すように、比較的嵩高で、内部に繊維間の空隙が形成された不織布であり、疎水性合成繊維１１と、親水性繊維の集合体１２とを有している。前記疎水性合成繊維１１は、繊維長が３８〜６４ｍｍで繊度が２．２〜６．６ｄｔｅｘである。親水性繊維は、天然セルロース繊維、例えばコットンやレーヨンなどであり、繊維長は５〜２５ｍｍで繊度は１．１〜１１ｄｔｅｘである。親水性繊維としてはコットンを用いることが好ましい。
【００２７】
前記親水性繊維は、図８（Ａ）に示すように異形断面形状のものや、図８（Ｂ）に示す中空断面形状の天然セルロースからなり、例えばコットンである。ここで異形断面形状とは、断面が円や楕円のように繊維表面が滑らかなものではなく、繊維表面に溝や窪みが形成されたものを意味する。このような断面形状の親水性繊維は繊維の表面積が広く、液体を保持吸収する能力が高くなる。またはフィブリル毛管を有する天然セルロースも、液体の保持吸収力が高く本発明の表面層４の繊維層４ｂに好適に使用し得る。
【００２８】
前記のように、繊維長の短い親水性繊維は、図４に示すように、塊状または捲縮状態などの集合体１２となっている。この集合体１２は、その繊維密度が、親水性繊維の集合体１２が存在しない領域での疎水性合成繊維１１の繊維密度、および集合体とならなかった親水性繊維が分散している領域での疎水性合成繊維１１と親水性繊維との密度よりも高くなっている。
【００２９】
そして親水性繊維の集合体１２が表面層４を形成する繊維層４ｂ内で分散して疎水性合成繊維１１内に保持されている。前記親水性繊維の集合体１２とは、不織布を形成する疎水性合成繊維１１の密度、または集合体１２とならない親水性繊維が分散している箇所での疎水性合成繊維１１と親水性繊維との密度よりも、密度が高くなるように、丸まって集合し、または絡むように捲縮された状態を意味する。
【００３０】
前記疎水性合成繊維１１は、少なくとも表面が低融点材料で形成されたものであり、好ましくは芯部がＰＰ（ポリプロピレン）またはＰＥＴ（ポリエチレンテレフタレート）で、鞘部がＰＥ（ポリエチレン）の芯鞘構造の複合繊維である。またはＰＥ繊維であってもよいが、繊維層４ｂ内に適度な空隙が形成されるように、芯部がＰＰやＰＥＴで形成された剛性の高い前記芯鞘構造の複合繊維を用いることが好ましい。また、前記疎水性合成繊維１１として、表面活性剤で被覆して親水性を付与したものを使用してもよい。ただし、多量の液が与えられると、表面活性剤が流れ出て親水性を呈しなくなる。ただし、親水性繊維の集合体１２が存在していることで、表面層４内の微小の液体を前記集合体１２で吸収しやすくなっている。
【００３１】
繊維層４ｂはサーマルボンド不織布であり、好ましくはエアースルー方式で形成されたサーマルボンド不織布であり、前記疎水性合成繊維１１どうしが互いに熱融着されており、またコットンなどの親水性繊維の集合体１２が、疎水性合成繊維１１の表面の溶融または半溶融時の融着力により固定されている。これにより嵩高に形成され良好なクッション性も得られる。
【００３２】
このように、親水性繊維の集合体１２が、確実に保持されるためには、疎水性合成繊維１１の繊維長がある程度長く、しかも疎水性合成繊維１１の表面に親水性繊維の集合体１２が固着しやすいシート構造であることが好ましい。例えば、熱融着性の短繊維を用いたポイントボンド不織布では、前記親水性繊維の集合体１２が疎水性合成繊維１１の間に確実に保持されずに脱落しやすい。水流により繊維交絡させたスパンレース不織布、または化学的接合力を用いたケミカルボンド不織布では、嵩が低く内部の空隙率が低くなって、多量の液体が疎水性合成繊維の間を吸収層３に向って浸透しにくくなる。よって、前記のようにエアースルー方式で形成されたサーマルボンド不織布が好ましい。またはヒートローラで加熱したサーマルボンド不織布であってもよいし、熱融着性の長繊維を用いたスパンボンド不織布であってもよい。
【００３３】
前記のように、表面層４の繊維層４ｂは、疎水性合成繊維１１の繊維間を多量の液体が吸収層３に向けて浸透しやすいように適度な空隙を有していることが好ましく、繊維層４ｂの目付けが２０〜６０ｇ／ｍ2で、繊維層４ｂの厚み（嵩）Ｈ２は０．２〜１０ｍｍであることが好ましく、さらに好ましくは０．３〜２ｍｍである。前記目付けおよび厚みが前記の範囲内であると、多量の液体が与えられたときに、疎水性合成繊維１１の間を浸透して吸収層３に液体が浸透しやすくなる。
【００３４】
また多量の液体が疎水性合成繊維１１の間を浸透して吸収層３に至りやすいようにするためには、親水性繊維の集合体１２が、疎水性合成繊維１１内において適度に分散して配置されていることが好ましい。また、表面層４を形成する繊維層４ｂにおいて、疎水性合成繊維１１が７０〜９８質量％、集合体１２となった親水性繊維および集合体とならない親水性繊維が２〜３０質量％含まれていることが好ましい。さらに好ましくは親水性繊維の割合が２〜１０質量％である。
【００３５】
前記塊状または捲縮状態の親水性繊維の集合体１２は、繊維層４ｂ内において所定の間隔を開けて均等に分散して存在していることが好ましい。前記親水性繊維の集合体１２が、繊維層４ｂの表面から裏面まで均等に分布していることが好ましいが、樹脂層４ａの表面に付着した微少な液や汗、または蒸気を前記親水性繊維の集合体１２で有効に吸収するためには、前記繊維層４ｂの樹脂層４ａとの接合側に前記親水性繊維の集合体１２が多く分散し、吸収層３側に集合体１２が分散していないものであってもよい。
【００３６】
図４に示すように、前記繊維層４ｂには多数の孔２５が形成されている。前記孔２５を形成することで、繊維層４ｂに吸収層３に連通する毛管が形成され、多量の液体が樹脂層４ａの開孔１５および繊維層４ｂを透過して吸収層３に吸収されやすくなる。
【００３７】
前記孔２５を形成する際には、孔２５の内面の繊維が吸収層３側へ突出するようにニードリングなどによる開孔処理が行われることが好ましい。このように孔２５を形成することで、繊維層４ｂの嵩を高くできる。なお、図４に示すように、樹脂層４ａの開孔１５と繊維層４ｂの孔２５をニードリング処理で一緒に形成し、前記開孔１５と前記孔２５とが連通する構造が好ましい。ただし、前記開孔１５と孔２５の位置が互いにずれていてもよい。前記孔２５の孔径は０．３〜２０ｍｍ、繊維層４ｂにおける孔２５の面積占有率は５〜６０％であることが好ましい。孔径および面積占有率が前記値を下回ると、繊維層４ｂでの液体の透過性が悪くなり、前記値を越えると、吸収層３で吸収された液体が装着者側へ戻るウエットバックが生じ、装着者の肌に湿潤感を与えるおそれがある。
【００３８】
前記樹脂層４ａと繊維層４ｂは少なくとも一部で接合されている。このときの接合方法としては熱融着によって部分的に接合される。または、樹脂層４ａと繊維層４ｂとが全面において接合されていてもよい。この接合は熱融着やホットメルト型接着剤によるものであってもよいが、前記繊維層４ｂの表面に溶融樹脂を供給して溶融ラミネートし、樹脂層４ａと繊維層４ｂを一体化してもよい。
【００３９】
生理用ナプキン１を構成する裏面層２は、不透液性のシートで形成される。この裏面層２は、通気性の樹脂フィルム、撥水処理されたスパンボンドまたはスパンレースなどの不織布、あるいは不織布の裏面に通気性の樹脂フィルムが接合されたものである。なお裏面層２の裏面には、下着などの外部装着体などに掛止させるための粘着層が設けられ、生理用ナプキンの使用時まで粘着層を保護するための離型紙が設けられることが好ましい。
【００４０】
また前記吸収層３は、粉砕パルプあるいは粉砕パルプと高吸水性ポリマーの混合物などにより形成され、粉砕パルプあるいは粉砕パルプと高吸水性ポリマーとの混合物がティッシュなどの吸収性シートで包まれたものである。
【００４１】
前記防漏側壁５を形成する疎水性シート６は疎水性または撥水性であり、メルトブロン不織布、エアースルー不織布、ポイントボンド不織布、エアレイド不織布、スパンボンド不織布とメルトブロン不織布との貼り合わせ複合不織布などである。あるいは、樹脂フィルムや不織布と樹脂フィルムとのラミネート材であってもよい。
【００４２】
次に、前記生理用ナプキン１の表面層４の液透過機能について説明する。
前記表面層４は、疎水性または撥水性を有する樹脂層４ａと、疎水性合成繊維１１を主体とした比較的空隙率の高い不織布内に親水性繊維の集合体１２が分散して混在している繊維層４ｂとが積層された構造である。よって経血などの液体が表面層４に多量に与えられると、この多量の液体は、開孔１５および孔２５を通って直ちに吸収層３に接する。このときの吸収層３の親水毛細管作用により、多量の液体は吸収層３に引き込まれるようにして吸収される。またこのとき疎水性合成繊維１１の表面は液体の透過抵抗が低いため、液体は疎水性合成繊維１１の間を速やかに透過して、吸収層３に吸収される。前記集合体１２は表面層４内で間隔を開けて分散されているため、液体は集合体１２の存在していない領域で疎水性合成繊維１１の間を透過して、吸収層３に速やかに吸収される。
【００４３】
多量の液体が表面層４を透過するとき、分散している親水性繊維の集合体１２にも液体が与えられるが、多量の液体は、吸収層３の親水毛細管作用により吸収層３側へ引き付けられるため、親水性繊維の集合体１２に保持される液体はわずかである。
【００４４】
上記したように親水性繊維の集合体１２は塊状または捲縮状態であり繊維密度が高くなっているため、少量の液体が前記集合体１２でしっかり保持され、表面層４の表面を乾燥させておくことができる。すなわち、表面層４にきわめて少量の液体が与えられたり、または装着者の肌からわずかな汗が与えられたり、あるいは装着者の体温により汗が蒸発して表面層４に蒸気が留まった場合に、これら少量の液や蒸気は、開孔１５を通って繊維層４ｂ内に分散している親水性繊維の集合体１２に引き付けられて保持される。親水性繊維の集合体１２は密度の高い塊状または捲縮状態で散在しているため、液体が親水性繊維の集合体１２に引き付けられやすく、引き付けられた液体は親水性繊維の集合体１２で保持される。
【００４５】
また繊維層４ｂの表面は樹脂層４ａで被覆されているため、親水性繊維の集合体１２に保持された液が表面層４の表面に戻りにくい。よって、表面層４の表面は乾燥状態に維持され、装着者の肌に湿潤感すなわちムレ感を与えにくくなる。
【００４６】
図５は前記表面層４の第２の実施の形態を示している。
図５に示す実施の形態の表面層４では、開孔１５を有する樹脂層（樹脂フィルム）４ａと、繊維層４ｅとが部分的に接合されている。そして繊維層４ｅの吸収層３とは反対側の面に凹部２６が形成されている。このときの凹部２６の深さ寸法Ｈ３は０．１〜１ｍｍとすることが好ましく、さらに前記凹部２６の繊維層４ｅに対する面積占有率は３〜３０％とすることが好ましい。前記範囲の上限を越えると樹脂層４ａと繊維層４ｅとの接触面積が低下することで液体の透過吸収性が低下する。
【００４７】
なお、前記繊維層４ｅは、図４に示すものと同様に、疎水性合成繊維１１と親水性繊維の集合体１２とを含むエアースルー不織布などである。この不織布をエンボスロールで加熱・加圧することで前記凹部２６を形成することができる。
【００４８】
前記繊維層４ｅでは、凹部２６を有する部分の繊維密度が高くなっており、それ以外の部分では繊維密度が低くなっている。よって樹脂層４ａの開孔１５を通過した液は吸収層３の毛細管作用で引き付けられて、密度の低い部分で繊維層４ｅを透過して前記吸収層３に吸収される。また樹脂層４ａの表面に付着した微少な液や汗、または蒸気は集合体１２に引き付けられるが、このとき樹脂層４ａ内では、液が凹部２６が形成された密度の高い部分に導かれる。この導き途中の液が集合体１２で吸収されることで、前記微少な液を集合体１２で保持しやすくなる。
【００４９】
また、図５においても繊維層４ｅに孔２５が形成されてもよい。図５に示すように、繊維層４ｅを二次成型することで、通気性やクッション性を向上させることができ、さらに液体に接触する表面積を増やすことで液体の吸収性を高めることが可能となる。
【００５０】
また図４または図５などに示した前記表面層４を用いた生理用ナプキンは、図３にて断面図で示すような構造とすることも可能である。
【００５１】
図３に示すものでは、吸収層３の表面において、表面層４が幅方向（Ｘ方向）に向けて山と谷を繰り返す波状に形成されている。そして波形状の頂部には縦方向（Ｙ方向）に延びる弾性部材１６が設けられている。この弾性部材１６は縦方向に伸長させた状態で表面層４に接合されている。よって弾性部材１６の弾性収縮力により、波形状の上部が吸収層３から離れるように、立ち上がり、表面層４の実質的な嵩が大きくなる。
【００５２】
前記表面層４の波の高さは０．５〜５ｍｍが好ましく、また波の頂部の幅方向での配列ピッチは０．５〜１０ｍｍが好ましい。
【００５３】
また、図３に示すように、前記表面層４の幅方向に向く両側部分を裏面シート２から立ち上がらせ、その上端に縦方向に延びる弾性部材１８を取付けて、表面層４により側壁１７を形成してもよい。この場合、前記側壁１７の左右両側の表面には疎水性シート６が設けられている。
【００５４】
図６は、生理用ナプキンに用いられる防漏側壁３０を、樹脂層４ａおよび繊維層４ｄの複合シートで形成した実施の形態を示している。
【００５５】
この防漏側壁３０は、前記疎水性合成繊維１１内に前記親水性繊維の集合体１２が分散させられたエアースルーなどの不織布の繊維層４ｄの表面に、図４および図５に示したのと同じ開孔１５が形成された樹脂層（樹脂フィルム）４ａが重ねられ、好ましくは、繊維層４ｄと樹脂層４ａとが少なくとも一部で接合されたもので形成されている。この場合、繊維層４ｄには図４に示すような孔２５が形成されていないことが好ましい。ただし、図５に示す凹部２６は形成されていてもよい。
【００５６】
この防漏側壁３０は、その表面が樹脂層４ａであり、また繊維層４ｄも疎水性合成繊維１１を主体としているため、液の浸透に対する抵抗力が強い。よって防漏側壁３０の表面に与えられた液は、樹脂層４ａの表面で堰き止められ、生理用ナプキンの幅方向への液漏れを防止できる。
【００５７】
また防漏側壁３０の樹脂層４ａの表面に付着した少量の液または汗あるいは蒸気は、樹脂層４ａの開孔１５を通して繊維層４ｄ内の親水性繊維の集合体１２で吸収されるようになり、防漏側壁３０の表面の湿潤感を低減でき、装着者に蒸れ感を与えにくくなる。
【００５８】
図７は、図４、図５、図６に示す繊維層４ｂ，４ｄ，４ｅの製造方法の一例を示している。
【００５９】
図７の製造方法では、カーディング装置４１で、繊維長が３８〜６４ｍｍの疎水性合成繊維１１と繊維長が５〜２５ｍｍの親水性繊維（コットン）を供給し、回転ロールのピン４２により開繊する。前記疎水性合成繊維１１は繊維長が長く、また剛性が高いために、ピン４２の開繊力によりＭＤに向けて揃えられる。一方親水性繊維は短く、しかもコットンなどは剛性が低く柔らかい材質であるために、ピン４２の開繊力を受けたときに、ＭＤに向けて延びずに、その多くが塊状または捲縮状の集合体１２となってピン４２とピン４２との間に保持される。その結果、ＭＤに繊維が揃えられた疎水性合成繊維１１の間に親水性繊維の集合体１２が分散して混在した繊維ウエッブが形成される。この繊維ウエッブがスルーエアー方式の加熱室４３に送られ、この加熱室４３内で、繊維ウエッブ内の疎水性合成繊維１１が熱融着され、また親水性繊維の集合体１２は疎水性合成繊維１１の表面に融着固定されて繊維層４ｂ，４ｄ，４ｅが製造される。
【００６０】
なお、前記加熱室４３の代わりに熱ロールにより繊維ウエッブ内の疎水性合成繊維１１を熱融着してもよい。
【００６１】
【発明の効果】
以上詳述した本発明の吸収性物品の表面層では、多量の液体が与えられたときに液体が表面層を速やかに透過して吸収層に吸収されるようになる。しかも少量または極めて少量の液体が与えられたときであっても、樹脂層の液体が直ちに開孔を介して繊維層に移動させられ、親水性繊維の集合体により水分が保持される。よって、表面層の表面を乾燥状態にでき、装着者に湿潤感を与えず、肌荒れなどの弊害を低減させることができる。
【００６２】
また、本発明の吸収性物品の防漏側壁では、多量の液の横漏れを防止でき、且つ防漏側壁表面で少量の液が残ったり蒸気が滞留するのを防止でき、防漏側壁と肌との当接部での湿潤感、および蒸れ感を防止できる。
【図面の簡単な説明】
【図１】本発明の吸収性物品の第１の実施の形態として生理用ナプキンを示す斜視図、
【図２】図１に示す生理用ナプキンのＩＩ−ＩＩ線の断面図、
【図３】生理用ナプキンの他の実施の形態を示す断面図、
【図４】表面層の部分拡大断面模式図、
【図５】表面層の変形例を示す部分拡大断面模式図、
【図６】防漏側壁の構造を示す断面図、
【図７】繊維層の製造方法の一例を示す説明図、
【図８】（Ａ）（Ｂ）は親水性繊維の好ましい断面形状を示す断面図、
【符号の説明】
１  生理用ナプキン（吸収性物品）
２  裏面層
３  吸収層
４  表面層
４ａ  樹脂層
４ｂ，４ｄ，４ｅ  繊維層
５  防漏側壁
１１  疎水性合成繊維
１２  親水性繊維の集合体
１５  開孔
２５  孔
３０  防漏側壁
【図１】
0003987684.tif 000002
【図２】
0003987684.tif 000003
【図３】
0003987684.tif 000004
【図４】
0003987684.tif 000005
【図５】
0003987684.tif 000006
【図６】
0003987684.tif 000007
【図７】
0003987684.tif 000008
【図８】
0003987684.tif 000009